(57)【要約】【課題】油性汚水のＢＯＤを２０ｐｐｍ以下まで低下させる。【解決手段】下水道の汚水を浄化処理する汚水処理システムにおいて、下水道の汚水が供給され、これを処理する第１の処理槽６２と、第１の処理槽６２により処理されて排出される処理水、又は第１の処理槽６２へ供給される前の汚水が接触される活性炭とを備え、第１の処理槽６２は、天然の通気性材料からなる外装体１１と、外装体１１内部に充填される充填材２２と、外装体１１内部に含められる好気性菌および嫌気性菌と、好気性菌及び嫌気性菌を含む微生物を担持させるための多孔質材料からなる微生物担体１２とを有し、外装体１１は、ヤシガラ繊維であり、充填材２２は、おが屑であり、微生物担体２２３は、炭である油性汚水処理用浮体１を、供給された汚水に浮遊させる。【選択図】図１
2008100178.tif 000002
【特許請求の範囲】
【請求項１】
下水道の汚水を浄化処理する汚水処理システムにおいて、
上記下水道の汚水が供給され、これを処理する第１の処理槽と、
上記第１の処理槽により処理されて排出される処理水、又は上記第１の処理槽へ供給される前の汚水が接触される活性炭とを備え、
上記第１の処理槽は、
天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを有し、上記外装体は、ヤシガラ繊維であり、上記充填材は、おが屑であり、上記微生物担体は、炭である油性汚水処理用浮体を、上記供給された汚水に浮遊させてなること
を特徴とする汚水処理システム。
【請求項２】
下水道の汚水を浄化処理する汚水処理システムにおいて、
上記下水道の汚水が供給され、これを処理する第１の処理槽を備え、
上記第１の処理槽は、天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを有し、上記外装体は、ヤシガラ繊維であり、上記充填材は、おが屑であり、上記微生物担体は、炭である油性汚水処理用浮体を、上記供給された汚水に浮遊させてなり、その底面には、活性炭が敷設されてなること
を特徴とする汚水処理システム。
【請求項３】
上記第１の処理槽から排出された処理水が供給され、これをさらに浄化処理する第２の処理槽をさらに備え、
上記第２の処理槽は、固着性水生植物又は浮標性水生植物を上記処理水中において水生させてなること
を特徴とする請求項２記載の汚水処理システム。
【請求項４】
上記第２の処理槽から排出された処理水が供給され、これをさらに浄化処理する第３の処理槽をさらに備え、
上記第３の処理槽は、イ草、スゲ、水カンナ等の水生植物を上記処理水中において水生させてなること
を特徴とする請求項３記載の汚水処理システム。
【請求項５】
下水道の汚水を浄化処理する汚水処理方法において、
上記下水道の汚水を第１の処理槽に供給し、これを処理する第１の処理工程と、
上記第１の処理工程における第１の処理槽により処理されて排出される処理水、又は上記第１の処理槽へ供給される前の汚水を活性炭に接触させる活性炭接触工程とを有し、
上記第１の処理工程では、天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを有し、上記外装体は、ヤシガラ繊維であり、上記充填材は、おが屑であり、上記微生物担体は、炭である油性汚水処理用浮体を、上記第１の処理槽に供給された汚水に浮遊させること
を特徴とする汚水処理方法。
【請求項６】
下水道の汚水を浄化処理する汚水処理方法において、
上記下水道の汚水を第１の処理槽に供給し、これを処理する第１の処理工程を有し、
上記第１の処理工程では、天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを有し、上記外装体はヤシガラ繊維であり、上記充填材はおが屑であり、上記微生物担体は炭である油性汚水処理用浮体を、上記第１の処理槽に供給された汚水に浮遊させ、上記第１の処理槽の底面には、活性炭を敷設させること
を特徴とする汚水処理方法。
【請求項７】
上記第１の処理槽から排出した処理水を第２の処理槽に供給し、これを処理する第２の処理工程をさらに有し、
上記第２の処理工程では、固着性水生植物又は浮標性水生植物を上記第２の処理槽に供給された処理水中において水生させること
を特徴とする請求項６記載の汚水処理方法。
【請求項８】
上記第２の処理槽から排出した処理水を第３の処理槽に供給し、これを処理する第３の処理工程をさらに有し、
上記第３の処理工程では、イ草、スゲ、水カンナ等の水生植物を上記第３の処理槽に供給された処理水中において水生させること
を特徴とする請求項７記載の汚水処理方法。
【発明の詳細な説明】
【技術分野】
【０００１】
本発明は、汚水処理システム及び方法に関し、特に浄化槽内に停留された油性汚水を処理する際に好適な汚水処理システム及び方法に関する。
【背景技術】
【０００２】
下水道法では、一般にグリストラップと呼ばれる浄化槽の設置を飲食業者に義務付けている。浄化槽に油脂類を含んだ汚水が流入し、浄化槽内に溜まった廃食油中の油脂類や汚泥は浄化槽内に滞留し、残りの汚水はトラップ管を経て排水されている。浄化槽の表面に滞留した油脂類等は、時間の経過に応じて嫌気性菌の活動に伴って腐敗する。油脂類の分解性生物であるアンモニアや硫化水素は悪臭の原因ともなる。このように、浄化槽のスラッジをそのまま放置すると、厨房内環境が悪化し、衛生面においても深刻な問題となり得る。
【０００３】
このため、従来においては、この浄化槽内のスラッジを、手作業で定期的に汲み取り、これを廃棄していた。しかしながら、かかる廃棄に伴う作業員の労力は過大なものであり、またこれに伴うコストも増加してしまうという問題点があった。
【０００４】
このような問題点を解消するため、微生物を用いたグリストラップ中の廃油脂を処理する処理装置が提案されている（例えば、特許文献１、２参照。）。この提案された処理装置では、いずれも廃油脂分解用に好気性微生物を使用するものであり、かかる好気性微生物の活動を高めるべく、曝気ユニットを備えている。
【０００５】
また、親油性及び多孔質の発泡シート等を加工した袋に、好気性微生物（汚水処理用種菌）を封入した汚水処理用容器も提案されている（例えば、特許文献３参照。）。この汚水処理用容器の表面に、複数の小孔を設け、そこから汚水が浸入する構成とされている。このとき、悪臭の抑制や廃油脂の分解を効率よく実行すべく、曝気ユニットによる曝気を同時に実行するようにしてもよい。
【特許文献１】特開２０００−３２５９３８号公報
【特許文献２】特開２００２−８６１７３号公報
【特許文献３】特開２０００−３５５６３４号公報
【非特許文献１】埼玉県環境防災部  工場・事業場等排水の水質規制（水質汚濁防止法・埼玉県生活環境保全条例  濃度規制）
【発明の開示】
【発明が解決しようとする課題】
【０００６】
ところで、近年において、水質汚濁を防止する観点から、ＢＯＤ（Biochemical Oxigen Demand ：生物化学的酸素要求量）を２０ｐｐｍ以下にすべきであるとの要請が高まっている（例えば、非特許文献１参照。）。
【０００７】
ＢＯＤとは、水中の有機物（汚れの原因）を微生物（好気性微生物）が分解するのに使われた酸素の量のことで、有機物による水の汚れを示す代表的な指標である。従来の下水処理システムにおいては、このＢＯＤを７０ｐｐｍ程度まで減らすことは可能であるが、２０ｐｐｍ以下まで減らすことができず、上述した基準を満たすことができないという問題点があった。
【０００８】
そこで、本発明は、上述した問題点に鑑みて案出されたものであり、その目的とするところは、油性汚水のＢＯＤを２０ｐｐｍ以下まで低下させることが可能な汚水処理システム及び方法を提案することにある。
【課題を解決するための手段】
【０００９】
本発明を適用した汚水処理システムは、上述した課題を解決するために、下水道の汚水を浄化処理する汚水処理システムにおいて、上記下水道の汚水が供給され、これを処理する第１の処理槽と、上記第１の処理槽により処理されて排出される処理水、又は上記第１の処理槽へ供給される前の汚水が接触される活性炭とを備え、上記第１の処理槽は、天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを有し、上記外装体は、ヤシガラ繊維であり、上記充填材は、おが屑であり、上記微生物担体は、炭である油性汚水処理用浮体を、上記供給された汚水に浮遊させてなることを特徴とする。
【００１０】
また本発明を適用した汚水処理システムは、上述した課題を解決するために、下水道の汚水を浄化処理する汚水処理システムにおいて、上記下水道の汚水が供給され、これを処理する第１の処理槽を備え、上記第１の処理槽は、天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを有し、上記外装体は、ヤシガラ繊維であり、上記充填材は、おが屑であり、上記微生物担体は、炭である油性汚水処理用浮体を、上記供給された汚水に浮遊させてなり、その底面には、活性炭が敷設されてなることを特徴とする。
【００１１】
また本発明を適用した汚水処理方法は、上述した課題を解決するために、下水道の汚水を浄化処理する汚水処理方法において、上記下水道の汚水を第１の処理槽に供給し、これを処理する第１の処理工程と、上記第１の処理工程における第１の処理槽により処理されて排出される処理水、又は上記第１の処理槽へ供給される前の汚水を活性炭に接触させる活性炭接触工程とを有し、上記第１の処理工程では、天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを有し、上記外装体は、ヤシガラ繊維であり、上記充填材は、おが屑であり、上記微生物担体は、炭である油性汚水処理用浮体を、上記第１の処理槽に供給された汚水に浮遊させることを特徴とする。
【００１２】
また本発明を適用した汚水処理方法は、上述した課題を解決するために、下水道の汚水を浄化処理する汚水処理方法において、上記下水道の汚水を第１の処理槽に供給し、これを処理する第１の処理工程を有し、上記第１の処理工程では、天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを有し、上記外装体はヤシガラ繊維であり、上記充填材はおが屑であり、上記微生物担体は炭である油性汚水処理用浮体を、上記第１の処理槽に供給された汚水に浮遊させ、上記第１の処理槽の底面には、活性炭を敷設させることを特徴とする。
【発明の効果】
【００１３】
上述した構成からなる本発明では、前段において処理された油性汚水のＢＯＤを７０ｐｐｍ程度から２０ｐｐｍ以下まで低下させることが可能となる。
【００１４】
特に本発明では、化学薬品を利用することなく、あくまで自然の力を利用して有機物を除去することができることから、排水を果樹園や農地等に有効利用することができ、より環境に配慮したシステムにすることが可能となる。
【発明を実施するための最良の形態】
【００１５】
以下、本発明を実施するための最良の形態として、浄化槽内に停留された油性汚水を処理する汚水処理システムについて、図面を参照しながら詳細に説明する。
【００１６】
図１は、本発明の第１の実施の形態としての汚水処理システム５の構成例を示している。この汚水処理システム５では、下水道の汚水を通過させるための活性炭フィルター５１と、この活性炭フィルター５１を通過した汚水が供給される第１の処理槽６２とを備えている。この汚水処理システム５は、前段において周知技術によりＢＯＤが７０ｐｐｍ程度まで希釈化された汚水を、後段においてＢＯＤをさらに２０ｐｐｍ程度まで希釈化させることを目的として設けられたものである。即ち、この汚水処理システム５は、前段において既にＢＯＤが７０ｐｐｍ程度まで希釈された状態にある汚水が供給されてくることを前提とするが、本発明はこれに限定されるものではない。
【００１７】
活性炭フィルター５１は、図１に示すような活性炭６１を複数個に亘りまとめて一つのフィルター状に構成したものである。この活性炭フィルター５１を構成する活性炭６１は、広葉樹の炭を利用する。この広葉樹の例としては、例えばナラ、アベマキ、クヌギ等のブナ科の落葉広葉樹等があり、特にナラが入手容易性の観点から望ましいものといえる。特に広葉樹は、浸水による形状の劣化に強いため好ましいものといえる。
【００１８】
ちなみに、この活性炭フィルター５１は、単一の活性炭で構成するようにしてもよい。
【００１９】
このような活性炭フィルター５１に対して下水道の汚水を通過させることにより、汚水は、この活性炭フィルター５１を構成する活性炭６１に接触することになる。その結果、ＢＯＤ（Biochemical Oxigen Demand ：生物化学的酸素要求量）を先ず低減することができる。その理由として、活性炭６１は、多孔質構造となっており、微生物等を吸着することができるためである。
【００２０】
第１の処理槽６２は、活性炭フィルター５１を通過してきた汚水が供給され、これを内部において貯留させる。この第１の処理槽６２には、上記貯留された汚水に油性汚水処理用浮体１が浮遊されている。この第１の処理槽６２に供給された汚水は、一定時間貯留された後に排出されることになる。
【００２１】
図２は、本発明を適用した油性汚水処理用浮体１の構成を示す斜視図である。また図３は、この油性汚水処理用浮体１の断面構成を示す図である。この油性汚水処理用浮体１は、天然の通気性材料からなる外装体１１と、この外装体１１内部に充填される充填材２２と、外装体内部に含められる好気性菌及び嫌気性菌と、好気性菌及び嫌気性菌を含む微生物を担持させるための多孔質材料からなる微生物担体２３と、外装体内部に封入されている油脂分解性の酵素とを有する。この外装体１１の周囲は、止め具１３で縫い合わされている。
【００２２】
外装体１１は、環境に配慮し、天然に存在する通気性材料をそのまま使用したものであり、例えばヤシガラ繊維等の自然界に存在する生物によって構成されるものである。
【００２３】
この外装体１１を構成する通気性材料は、空気が通過可能な空隙を有するものである。この外装体１１は、浄化槽内における油性汚水に浮遊可能され、また浄化槽内のサイズに応じて最適な形状、大きさに成形加工されてなる。以下の例においては、幅約２５ｃｍ、長さ約５０ｃｍ、厚み７ｍｍのヤシガラ繊維を２つ折りにしてたたみ、略正方形状で外装体１１を構成した場合を例にとり説明をする。
【００２４】
充填材２２は、おが屑、木材チップ片、籾殻、炭素繊維、ピートモス等である。また、この充填材２２は、適度な細孔を有していてもよい。この充填材２２は、水に浮かせるために、（浮水性）軽比重性材料で構成するようにしてもよい。
【００２５】
微生物担体２３は、空気を担持可能な多孔質材料からなる。この微生物担体２３は、微生物の生育、増殖を促進させる観点から外装体１１内に充填されるものである。微生物担体２３を構成する多孔質材料は、廃棄時に環境を配慮する観点から、また良好な微生物の繁殖の場を提供する観点から、このような性質を具備する天然素材で構成されることが望ましい。この微生物担体２３を構成する多孔質材料は、例えば炭（消し炭や備長炭を含む）又は軽石である。
【００２６】
外装体１１に含められる好気性菌並びに嫌気性菌は、タブレットに圧縮されていてもよいし、また、カプセル等の充填容器内に充填されていてもよい。この充填容器は、水溶性であり、油性汚水処理用浮体１を第１の処理槽６２に浮遊させた場合に、その内部に貯水された液体によって溶け出す。その結果、充填容器に充填された好気性菌や嫌気性菌は、外装体１１内に徐々に拡散し、場合によっては外装体１１外部にも拡散していくことになる。
【００２７】
ちなみに、これら好気性菌および嫌気性菌は、製造および運搬時には、休眠状態であることが望ましい。製造段階において、粉状もしくは液状物質に含まれる休眠状態の菌体を微生物担体に散布し担持させてもよい。または、粒状、包装した粉状もしくは液状物質に含まれる休眠状態の菌体を微生物担体と併せて外装体内部に封入してもよい。
使用する菌には、好気性菌として、酢酸菌、枯草菌（納豆菌）等の好気性Bacillus属細菌、好気性シュードモナス属細菌、イースト菌（サッカロミセス、トルロプシス）、硝酸菌、亜硝酸菌を、嫌気性菌として乳酸菌、メタン菌、鉄細菌、硫酸還元菌、酵母菌、嫌気性シュードモナス属細菌、嫌気性Clostridium属細菌等、嫌気性Bacillus属細菌等、放線菌、酵母菌を利用してもよい。
【００２８】
嫌気性菌は、酸素存在下では発育できない偏性嫌気性菌と、酸素存在下では発育が促進される通性嫌気性菌とに分けられるが、上記好気的環境に基づいて好気性菌および通性嫌気性菌（以下、好気性菌等）による油性汚水の分解を促進させ、好気性菌等による分解に基づいて外装体内部に嫌気的環境を作り出し、この作り出した嫌気的環境に基づいて偏性嫌気性菌による油性汚水の分解を促進させる。
【００２９】
油脂分解性の酵素は、加水分解酵素、例えばリパーゼ等に代表されるものであり、例えば紙類で構成される包装帯により包装された状態で外装体１１内に充填される。
【００３０】
本発明では、外装体１１としてヤシガラ繊維を、充填材２２としておが屑を、微生物担体２３として炭を組み合わせて利用する。その結果、これを第１の処理槽６２内に浮遊させることにより、内部の汚水を高度に分解することができる。
【００３１】
表１は、外装体１１としてヤシガラ繊維を、充填材２２としておが屑を、微生物担体２３として炭を適用した本発明例と、外装体１１としてヤシガラ繊維を、充填材２２として木片チップを、微生物担体２３として軽石を適用した比較例について、それぞれ、実際のグリストラップ内の動植物油量を分解させる実験を行った結果を示している。
【００３２】
【表１】
2008100178.tif 000003
【００３３】
この実験においては、本発明例、比較例それぞれをグリストラップに停留された油性汚水へ浮遊させて放置させた。本発明例としての油性汚水処理用浮体を浮遊開始した日から２週間後に、分解すべき動植物油量をn-ヘキサン抽出量値を介して測定したところ、グリストラップ内部においてn-ヘキサン抽出量値は１９００００ｍｇ／Ｌであるのに対し、グリストラップ出口では、９３ｍｇ／Ｌとなっていた。
【００３４】
これに対して、比較例では、浮遊開始した日から１週間後に、分解すべき動植物油量をn-ヘキサン抽出量値を介して測定したところ、グリストラップ内部においてn-ヘキサン抽出量値は２０００ｍｇ／Ｌであるのに対し、グリストラップ出口では、２５０ｍｇ／Ｌとなっていた。なお、この比較例において、グリストラップ内部におけるn-ヘキサン抽出量値が、本発明例と比較して小さいのは、グリストラップ槽内を予め掃除した状態で実験を開始したためである。
【００３５】
上述のn-ヘキサン抽出量値に着目した場合、本発明例では、グリストラップ出口においてグリストラップ内部の０．０００５倍近くまで低減できるのに対して、比較例では、グリストラップ出口においてグリストラップ内部の０．１３倍程度までしか低減させることができないことが示されている。このため、本発明例は、この比較例よりも、グリストラップ内の動植物油を高度に分解させることができることから、油性汚水を殆ど透明化させることができる。また、n-ヘキサン抽出量値と同様にＢＯＤも同程度まで低下させることができるものと考えられる。
【００３６】
このため、この本発明例を適用した油性汚水処理用浮体１を第１の処理槽６２に浮遊させることにより、ＢＯＤを２０ｐｐｍ程度まで低減させることが可能となる。
【００３７】
因みに、この油性汚水処理用浮体１は、油性汚水を浄化した後、数週間で交換する必要が出てくる。しかし、この油性汚水処理用浮体１は、天然素材で構成されているため、これを処理する際においても可燃物として分別廃棄することができることから、より環境にやさしい構成とすることが可能となる。
【００３８】
なお、本発明を適用した汚水処理システム５は、上述した実施の形態に限定されるものではなく、例えば、第１の処理槽６２の前段に活性炭フィルター５１を配設する代わりに、第１の処理槽６２の後段に活性炭フィルター５１を配設するようにしてもよい。これによっても、ＢＯＤを２０ｐｐｍ程度まで低減させることが可能となる。
【００３９】
次に、本発明の第２の実施の形態について、図面を参照しながら詳細に説明する。図４は、本発明の第２の実施の形態としての汚水処理システム７を示している。
【００４０】
この汚水処理システム７では、第１の処理槽７１と、第１の処理槽７１から排出された処理水が供給され、これをさらに浄化処理する第２の処理槽７２と、第２の処理槽７２から排出された処理水が供給され、これをさらに浄化処理する第３の処理槽７３とを備えている。この第１の処理槽７１、第２の処理槽７２、第３の処理槽７３とは、それぞれ温室８内において設置され、また互いにパイプを介して側面が連結されてなり、汚水を第１の処理槽７１から第３の処理槽７３へ向けて流すことができる。汚水処理システム７は、前段において周知技術によりＢＯＤが７０ｐｐｍ程度まで希釈化された汚水を、後段においてＢＯＤをさらに２０ｐｐｍ程度まで希釈化させることを目的として設けられたものである。即ち、この汚水処理システム７は、前段において既にＢＯＤが７０ｐｐｍ程度まで希釈された状態にある汚水が供給されてくることを前提とするが、本発明はこれに限定されるものではない。
【００４１】
第１の処理槽７１は、下水道から供給されてきた汚水を一時的に貯留する。この第１の処理槽７１に貯留された汚水には、油性汚水処理用浮体１が浮遊されてなる。この第１の処理槽７１の底面には、活性炭８４が敷設されている。ちなみに、この活性炭８４は、活性炭６１と同一の構成とされている。
【００４２】
第２の処理槽７２は、固着性水生植物８１ａ又は浮標性水生植物８１ｂを処理水中において水生させている。固着性水生植物８１ａは、抽水植物、浮葉植物、沈水植物等であり、抽水植物とは、茎の下部が水面下にある植物であって、例えば、アシ（ヨシ）マコモ、ガマ、ハス、コウホネ、オモダカ等である。浮葉植物とは、水底に根があり、葉を水面に浮かべているものであり、例えばアサザ、ジュンサイ、オニバス等に代表される。さらに、沈水植物は、水底に根があり、葉は水面下にあるものであり、フサモ、マツモ、クロモ、イバラモ、エビモ等に代表される。
【００４３】
浮漂性水生植物８１ｂとは、浮水植物、浮遊植物等である。浮水植物は、茎や葉が水面上にあり、根が水中に垂れているものであり、例えば、ウキクサ、ホテイアオイ等に代表される。また、浮遊植物は、茎や葉が水面下あり、根がないものであり、例えば、タヌキモ、ムジナモ等である。
【００４４】
第３の処理槽７３は、イ草、スゲ、水カンナ等の水生植物８２を処理水中において水生させる。この第３の処理槽７３において浄化処理された処理水は、その後排出されて、果樹園、農地、水田等の灌漑用水として利用される。
【００４５】
温室８は、温室内の温度を最適に維持することにより、第２の処理槽７２における固着性水生植物８１ａや浮標性水生植物８１ｂ、第３の処理槽７３における水生植物８２の育成を助長させる。実際に、この温室８内をいかなる温度、湿度にコントロールするかは、固着性水生植物８１ａ、浮標性水生植物８１ｂ、水生植物８２の種類により決定する。
【００４６】
このような構成からなる汚水処理システム７において、先ず第１の処理槽７１に供給された汚水は、それに浮遊させている油性汚水処理用浮体１並びに、第１の処理槽７１の底面に敷設されている活性炭８４により浄化される。その結果、ＢＯＤを低下させることが可能となる。
【００４７】
特にこの第１の処理槽７１において、油性汚水処理用浮体１と吸着能に優れた活性炭８４とを並存させる。油性汚水処理用浮体１は、吸着分解に優れていても、多湿度環境下では、短時間で腐食してしまう場合もある。これに対して、活性炭８４は、長期的に安定使用が可能となる。このため、これらを並存させることにより、上記効果が増幅され、浄化がより強化されることになる。
【００４８】
ちなみに、この第１の処理槽７１に供給された供給水は、〜時間程度貯留されることになることから、これら油性汚水処理用浮体１並びに活性炭８４により油性汚水を好適に分解することが可能となる。
【００４９】
次に、この第１の処理槽７１において処理された処理水は、第２の処理槽７２へと供給され、貯留されることになる。この第２の処理槽７２に貯留させた処理水は、固着性水生植物８１ａや浮標性水生植物８１ｂにより分解されることになる。固着性水生植物８１ａや浮標性水生植物８１ｂは、根を介して処理水中の有機物を吸い上げることから、処理水のＢＯＤを大幅に低下させることが可能となる。
【００５０】
次に、この第２の処理槽７２において処理された処理水は、第３の処理槽７３へと供給され、貯留されることになる。この第３の処理槽７３に貯留させた処理水は、水生植物８２により分解されることになる。水生植物８２は、根を介して処理水中の有機物を吸い上げることから、処理水のＢＯＤを大幅にさらに低下させることが可能となる。
【００５１】
この汚水処理システム７では、油性汚水を透明化させることが可能となり、浄化速度を促進させることが可能となる。即ち、この汚水処理システム７では、バクテリア、藻類、微生物、植物等の活動によって有機物を除去することができる。このとき、化学薬品を利用することなく、あくまで自然の力を利用して有機物を除去することができることから第３の処理槽７３からの排水を果樹園や農地等に有効利用することができ、より環境に配慮したシステムにすることが可能となる。また、この汚水処理システム７では、下水を自然の力のみ利用して浄化し、これを自然界に戻すことができ、いわゆる再循環システムへ応用することが可能となる。
【００５２】
なお、この汚水処理システム７では、第３の処理槽７３を省略するようにしてもよい。かかる場合には、第２の処理槽７３から排出される処理水を果樹園や農地等の用水として供給することになる。また、この汚水処理システム７では、第３の処理槽７３に加えて更に第２の処理槽７２を省略するようにしてもよい。かかる場合には、第１の処理槽７１から排出される処理水を果樹園や農地等の用水として供給することになる。これによっても、処理水のＢＯＤを大幅に低下させた状態とすることができるため、有機物を除去した状態でこれを農業用水として再循環させることができる。
【図面の簡単な説明】
【００５３】
【図１】本発明の第１の実施の形態としての汚水処理システムの構成例を示す図である。
【図２】本発明を適用した油性汚水処理用浮体の構成を示す図である。
【図３】本発明を適用した油性汚水処理用浮体の構成を示す他の図である。
【図４】本発明の第２の実施の形態としての汚水処理システムの構成例を示す図である。
【符号の説明】
【００５４】
１  油性汚水処理用浮体
５、７  汚水処理システム
８  温室
１１  外装体
１２  微生物担体
１３  止め具
２２  充填材
２３  微生物担体
５１  活性炭フィルター
６１  活性炭
６２  第１の処理槽
７１  第１の処理槽
７２  第２の処理槽
７３  第３の処理槽
８４  活性炭
【図１】
2008100178.tif 000004
【図２】
2008100178.tif 000005
【図３】
2008100178.tif 000006
【図４】
2008100178.tif 000007